(57)【要約】【課題】複数種類の映像群の利用状況を容易に把握できる映像閲覧システムおよび方法を提供する。【解決手段】オンエア映像、編集映像および素材映像を映像記憶部１０６に記憶し、これら映像群の一連の対応関係から得られる相互の対応関係を対応情報記憶部１０８に記憶する。オンエア映像、編集映像および素材映像のうちいずれか１つの映像が指定されると、対応情報検索部１０７は相互対応関係を参照して指定された映像に対応する他の映像を特定し、指定された映像と特定された映像との対応関係が表示部１０２に可視化表示される。【選択図】    図１
2004172788.tif 000002
【特許請求の範囲】
【請求項１】
第１の映像群、前記第１の映像群を用いて制作された第２の映像群および前記第２の映像群を用いて制作された第３の映像群のうちいずれか１つの映像群の映像を指定することにより、指定された映像と対応関係を持つ他の映像群の映像を特定し当該対応関係を表示することを特徴とする映像閲覧システム。
【請求項２】
複数の映像から所望の映像を閲覧するための映像閲覧システムにおいて、
ある映像群の少なくとも１つの映像を用いて次の映像群の映像が制作されるという一連の対応関係を有する複数の映像群を検索可能に格納する第１格納手段と、
前記一連の対応関係から得られる相互の対応関係を検索可能に格納する第２格納手段と、
前記複数の映像群のいずれか１つの映像群の映像が指定されると、前記第２格納手段を参照して前記指定された映像と対応関係を有する他の映像群の映像を特定し、前記指定された映像と前記特定された映像との対応関係を表示部に表示する制御手段と、
を有することを特徴とする映像閲覧システム。
【請求項３】
前記第２格納手段は、前記複数の映像群ごとに各映像区間が他の映像群の１つの映像区間に対応していることを示す対応情報を検索可能に格納することを特徴とする請求項２記載の映像閲覧システム。
【請求項４】
前記一連の対応関係から前記相互の対応関係を生成する対応関係生成手段を更に有することを特徴とする請求項２または３に記載の映像閲覧システム。
【請求項５】
前記制御手段は、前記指定された映像の映像区間を基準にして前記特定された映像の映像区間を対比表示することを特徴とする請求項２記載の映像閲覧システム。
【請求項６】
前記制御手段は、前記指定された映像と前記特定された映像との対応関係において前記特定された映像が指定されると、前記第１格納手段から前記特定された映像を検索し、指定された映像として前記表示部に表示することを特徴とする請求項２または５に記載の映像閲覧システム。
【請求項７】
複数の映像から所望の映像を閲覧するための映像閲覧方法において、
ａ）ある映像群の少なくとも１つの映像を用いて次の映像群の映像が制作されるという一連の対応関係を有する複数の映像群を検索可能に格納し、
ｂ）前記一連の対応関係から生成された相互の対応関係を格納し、
ｃ）前記複数の映像群のいずれか１つの映像群の映像が指定されると、前記相互の対応関係を参照して前記指定された映像と対応関係を有する他の映像群の映像を特定し、
ｄ）前記指定された映像を表示画面の第１の領域に表示し、
ｅ）前記指定された映像と前記特定された映像との対応関係と前記特定された映像との対応関係を前記表示画面の第２の領域に表示する、
ことを特徴とする映像閲覧方法。
【請求項８】
前記複数の映像群にそれぞれ対応して所定の表示フォームを用意し、前記指定された映像が属する映像群に対応する表示フォームで、前記指定された映像と前記特定された映像との対応関係を前記第２の領域に表示することを特徴とする請求項７記載の映像閲覧方法。
【請求項９】
前記表示フォームは、前記指定された映像の映像区間を基準にして前記特定された映像の映像区間を対比表示することを特徴とする請求項８記載の映像閲覧方法。
【請求項１０】
前記指定された映像と前記特定された映像との対応関係が表示されている前記表示フォームにおいて前記特定された映像が指定されると、前記特定された映像を指定された映像として、前記ｃ）〜ｅ）のステップを繰り返すことを特徴とする請求項７記載の映像閲覧システム。
【請求項１１】
コンピュータに、ある映像群の少なくとも１つの映像を用いて次の映像群の映像が制作されるという一連の対応関係を有する複数の映像群から所望の映像を閲覧するための映像閲覧処理を実行させるためのプログラムにおいて、
前記一連の対応関係から生成された相互の対応関係を格納するステップと、
前記複数の映像群のいずれか１つの映像群の映像が指定されると、前記相互の対応関係を参照して前記指定された映像と対応関係を有する他の映像群の映像を特定するステップと、
前記指定された映像を表示画面の第１の領域に表示するステップと、
前記指定された映像と前記特定された映像との対応関係を前記表示画面の第２の領域に表示するステップと、
を有することを特徴するコンピュータプログラム。
【発明の詳細な説明】
【０００１】
【発明の属する技術分野】
本発明は複数の映像群から任意の映像を検索して閲覧する技術に係り、特に映像制作に関する情報を閲覧するための映像閲覧システムおよび方法に関する。
【０００２】
【従来の技術】
まず、以下の説明において、現場で撮影された映像等に代表される基礎となる映像を「素材映像」、素材映像を編集して制作された映像を「編集映像」、編集映像をもとに最終的に放送された映像を「オンエア映像」と呼ぶことにする。
【０００３】
一般に、映像の制作には編集作業が不可欠であり、現場で撮影された映像を全てそのまま使用することはまれである。また、放送局では、編集された映像を放送する際にも、時間の制限で途中カットしたり、テロップなどが割り込むこともある。このために、実際にオンエアされた映像と編集された映像とは必ずしも全て一致していない。このようなオンエア映像や編集映像を保存しておき、その中から必要な部分を選択して新たな映像を制作するには、これら材料となる映像群を管理し、目標の映像を検索して閲覧できることが必要である。
【０００４】
このような映像閲覧システムの一例は、特開平１１−２６６４２２号公報に開示されている。同公報に開示された放送番組管理装置は、完パケ（オンエア映像）と白素材（編集映像）との間の対応付けを予めメモリに格納しておく。具体的には、メモリに記憶されている完パケデータを１カット毎のショットに分割し、この完パケショットの映像と白素材中の映像区間との類似性をフレーム画像の相関値を用いて判定する。こうして、完パケショット毎の映像区間情報と、類似判定された白素材の映像区間情報とを対応付けることができる（段落番号００４８〜５８、図１０、図１１参照）。この完パケ／白素材関連データに基づいて、任意の完パケ映像区間に対応する白素材映像区間を相互に検索再生することが可能となる（段落番号００６０，００６１、図１２参照）。
【０００５】
【特許文献１】
特開平１１−２６６４２２号公報（段落番号００４８〜００５８、００６０、００６１、図１０〜１２）。
【０００６】
【発明が解決しようとする課題】
しかしながら、上記従来のシステムは、オンエア映像および編集映像に関連する素材映像へのアクセスが考慮されていない。素材映像は種々の目的に沿って利用されるものであるが、その後の映像制作の母体であり一次資料を提供する貴重な映像群でもある。
【０００７】
たとえば、編集映像はその時々の問題意識や意図に沿って素材映像を部分的に利用して制作されるが、時が経てば問題意識も変化し、同じ素材映像の別の部分が重要なシーンとして認識されるかもしれない。ニュースを例に取ると、同日に放送するニュースの制作は、編集映像の使いまわしで済ますことができても、後日、特集番組などのより詳しいコンテンツを制作する際には、編集映像だけでは不十分であり、素材映像まで遡って必要な映像を探すことが多い。
【０００８】
このように、使用済部分のみを集めてコンテンツを制作したり、逆に未放送部分を利用して新たなコンテンツを制作する場合など、素材映像の利用状況の把握が重要となる。上記従来のシステムでは、オンエア映像に対応した編集映像を再生するだけで、素材映像のどの箇所がどの映像に使われていたか把握できない。
【０００９】
本発明の目的は、複数の映像群の利用状況を容易に把握できる映像閲覧システムおよび方法を提供することにある。
【００１０】
本発明の他の目的は、オンエア映像および編集映像に関連する素材映像へ容易にアクセスすることにより制作効率を上げることのできる映像閲覧システムおよび方法を提供することにある。
【００１１】
【課題を解決するための手段】
本発明による映像閲覧システムは、第１の映像群、前記第１の映像群を用いて制作された第２の映像群および前記第２の映像群を用いて制作された第３の映像群のうちいずれか１つの映像群の映像を指定することにより、指定された映像と対応関係を持つ他の映像群の映像を特定し当該対応関係を表示することを特徴とする。
【００１２】
本発明による映像閲覧システムは、ある映像群の少なくとも１つの映像を用いて次の映像群の映像が制作されるという一連の対応関係を有する複数の映像群を検索可能に格納する第１格納手段と、前記一連の対応関係から得られる相互の対応関係を検索可能に格納する第２格納手段と、前記複数の映像群のいずれか１つの映像群の映像が指定されると、前記第２格納手段を参照して前記指定された映像と対応関係を有する他の映像群の映像を特定し、前記指定された映像と前記特定された映像との対応関係を表示部に表示する制御手段と、を有することを特徴とする。
【００１３】
本発明による映像閲覧方法は、ａ）ある映像群の少なくとも１つの映像を用いて次の映像群の映像が制作されるという一連の対応関係を有する複数の映像群を検索可能に格納し、ｂ）前記一連の対応関係から生成された相互の対応関係を格納し、ｃ）前記複数の映像群のいずれか１つの映像群の映像が指定されると、前記相互の対応関係を参照して前記指定された映像と対応関係を有する他の映像群の映像を特定し、ｄ）前記指定された映像を表示画面の第１の領域に表示し、ｅ）前記指定された映像と前記特定された映像との対応関係と前記特定された映像との対応関係を前記表示画面の第２の領域に表示する、ことを特徴とする。
【００１４】
上述したように、本発明によれば、複数の映像群の利用状況を容易に把握することができる。たとえば、複数の映像群がオンエア映像、編集映像および素材映像からなる場合、素材映像が指定されると、その素材映像を利用した編集映像およびオンエア映像が特定され、その情報が表示される。編集映像が指定されると、その編集映像の制作に用いた素材映像が特定され、その情報が表示される。また、オンエア映像が指定されると、そのオンエア映像に含まれる編集映像が特定され、その情報とその制作に用いた素材映像の情報とが表示される。このようにオンエア映像、編集映像、素材映像という複数の映像群同士の対応関係を可視化することができ、素材映像を含めて映像の利用状況を容易に把握することが可能となる。
【００１５】
また、編集映像およびオンエア映像が素材映像まで対応付けられるため、オンエア映像および編集映像に関連する素材映像へ容易にアクセスすることができ、映像の制作効率を上げることができる。
【００１６】
複数の映像群の１つの映像群の映像が指定されたとき、指定された映像の映像区間を基準にして特定された映像の映像区間を対比表示することが望ましい。これによって、指定された映像の映像区間内で他の映像群のどの映像が対応しているかを容易に理解することができる。
【００１７】
また、指定された映像と特定された映像との対応関係において特定された映像が指定されると、その特定された映像を検索し、指定された映像として表示することが望ましい。たとえば、オンエア映像、編集映像、素材映像などの複数の映像群同士の対応関係をマークなどで表示し、表示されたマークをポインタで指定することによりマークに対応する映像の映像区間へアクセスすることができる。これによって関連する映像へのアクセスが容易になり制作効率を上げることができる。
【００１８】
【発明の実施の形態】
（第１実施形態）
システム構成
図１は、本発明の第１実施形態による映像閲覧システムの構成を示すブロック図である。図１において、入力部１０１はキーボードやポインティングデバイスなどの入力デバイスからなり、閲覧映像の指定、データ入力あるいは種々の命令の入力を行うことができる。表示部１０２はモニタであり、後述する映像閲覧画面を表示し、入力部１０１と協働してグラフィカルなユーザインタフェースを提供する。本システムのプログラム制御プロセッサ１０３は、制御プログラム１０４を実行することにより映像閲覧に関する処理やシステム全体の動作を制御する。
【００１９】
本実施形態による映像閲覧システムには、映像検索部１０５、映像記憶部１０６、対応情報検索部１０７および対応情報記憶部１０８が設けられている。映像検索部１０５および対応情報検索部１０７は、プログラム制御プロセッサ１０３の制御のもとで、後述する映像検索および対応情報検索をそれぞれ実行する。
【００２０】
映像記憶部１０６には、オンエア映像群（ＯＡ）、編集映像群（ＥＤ）および素材映像群（ＲＡＷ）が格納されている。素材映像群（ＲＡＷ）は、現場で撮影された素材映像が、例えばディジタル画像データとして記憶されたものであり、それぞれの素材映像はユニークな識別子とともに管理される。タイトルや制作日時など映像関連情報を併せて保持することも可能である。
【００２１】
編集映像群（ＥＤ）は、素材映像を厳選して編集された放送用の映像が、例えばディジタル画像データとして記憶されたものであり、それぞれの編集映像はユニークな識別子とともに管理される。タイトルや制作日時など映像関連情報を併せて保持することも可能である。
【００２２】
オンエア映像群（ＯＡ）は、最終的に放送された映像が、例えばディジタル画像データとして記憶されたものであり、それぞれのオンエア映像はユニークな識別子とともに管理される。タイトルや制作日時など映像関連情報を併せて保持することも可能である。
【００２３】
映像検索部１０５は、プログラム制御プロセッサ１０３から映像検索指令を受け取ると、指定された映像識別子に対応する映像データを映像記憶部１０６から検索する。読み出された映像データは、後述する映像データ関連情報と併せて表示部１０２に表示される。映像検索指令に映像の開始位置が含まれる場合には、読み出された映像を開始位置より再生することも、選択された映像を開始位置で頭だししておくこともできる。
【００２４】
対応情報記憶部１０８には、オンエア映像対応情報（ＯＡ−ＲＥＬ）、編集映像対応情報（ＥＤ−ＲＥＬ）および素材映像対応情報（ＲＡＷ−ＲＥＬ）が格納されている。これら対応情報については、後で詳細に説明する。
【００２５】
対応情報検索部１０７は、対応情報検索指令を受け取ると、指定された映像に関する対応情報を対応情報記憶部１０８から検索する。読み出された対応情報は、後述するように、所定のフォームで表示部１０２に表示される。その際、対応する他の映像へのアクセスを可能にするポインタを併せて表示する。
【００２６】
対応情報
図２（Ａ）はオンエア映像対応情報のフォーマットの一例を示す図、（Ｂ）は編集映像対応情報のフォーマットの一例を示す図、（Ｃ）は素材映像対応情報のフォーマットの一例を示す図、（Ｄ）は汎用の対応情報フォーマットの一例を示す図である。
【００２７】
図２（Ａ）に示すように、オンエア映像対応情報は、オンエア映像と編集映像と素材映像との間の対応関係を記述した情報である。すなわち、あるオンエア映像のどの箇所がどの編集映像／素材映像のどの箇所から引用されたものなのかが記述されている。オンエア映像対応情報は６個のカラムから構成され、カラム番号１にはオンエア映像の識別子、カラム番号２にはオンエア映像区間の開始フレーム番号、カラム番号３には対応する映像の識別子、カラム番号４には対応する映像の種別（編集映像あるいは素材映像）、カラム番号５には対応する映像の映像区間の開始フレーム番号、カラム番号６には映像区間のフレーム数、をそれぞれ記述する。このような記述によって、あるオンエア映像のある映像区間が編集映像あるいは素材映像のどの映像区間に対応しているかを特定することができる。
【００２８】
なお、各オンエア映像についての対応関係をそれぞれ別々の対応情報ファイルに格納しておくことも、また各オンエア映像についての対応関係を１つの対応情報ファイルにまとめて格納しておくこともできる。たとえば、オンエア映像Ａについての対応関係を対応情報ファイルａに格納しておき、オンエア映像Ｂについての対応関係を対応情報ファイルｂに格納してもよいし、オンエア映像ＡおよびＢの双方についての対応関係を１つの対応情報ファイルに格納してもよい。
【００２９】
図２（Ｂ）に示すように、編集映像対応情報は、ある編集映像のどの箇所がどのオンエア映像のどの箇所に使われていたか、あるいは、ある編集映像のどの箇所がどの素材映像のどの箇所から引用されたものなのか、を記述した情報である。編集映像対応情報は６個のカラムから構成され、カラム番号１には編集映像の識別子、カラム番号２には編集映像区間の開始フレーム番号、カラム番号３には対応する映像の識別子、カラム番号４には対応する映像の種別（オンエア映像あるいは素材映像）、カラム番号５には対応する映像の映像区間の開始フレーム番号、カラム番号６には映像区間のフレーム数、がそれぞれ記述する。このような記述によって、ある編集映像のある映像区間がオンエア映像あるいは素材映像のどの映像区間に対応しているかを特定することができる。
【００３０】
図２（Ｃ）に示すように、素材映像対応情報は、ある素材映像のどの箇所がどの編集映像／オンエア映像のどの箇所に使われたかを記述した情報である。素材映像対応情報は６個のカラムから構成され、カラム番号１には素材映像の識別子、カラム番号２には素材映像区間の開始フレーム番号、カラム番号３には対応する映像の識別子、カラム番号４には対応する映像の種別（編集映像あるいはオンエア映像）、カラム番号５には対応する映像の映像区間の開始フレーム番号、カラム番号６には映像区間のフレーム数、がそれぞれ記述する。このような記述によって、ある素材映像のある映像区間が編集映像あるいはオンエア映像のどの映像区間に対応しているかを特定することができる。
【００３１】
図２（Ａ）〜（Ｃ）に示すそれぞれの対応情報フォーマットの代わりに、図２（Ｄ）に示す１つのフォーマットを用いることもできる。すなわち、汎用フォーマットとして、カラム番号１には参照元映像の識別子、カラム番号２には参照元映像の種別（オンエア映像、編集映像あるいは素材映像）、カラム番号３には参照元映像区間の開始フレーム番号、カラム番号４には参照先映像の識別子、カラム番号５には参照先映像の種別（オンエア映像、編集映像あるいは素材映像）、カラム番号６には参照先映像区間の開始フレーム番号、カラム番号７には映像区間のフレーム数、をそれぞれ記述する。
【００３２】
図３（Ａ）はオンエア映像対応情報の格納テーブルの一例を示す模式図、（Ｂ）は編集映像対応情報の格納テーブルの一例を示す模式図、（Ｃ）は素材映像対応情報の格納テーブルの一例を示す模式図である。
【００３３】
図３（Ａ）に示すように、オンエア映像対応情報は、各オンエア映像のオンエア映像区間ごとに、図２（Ａ）に示す形式で格納される。たとえば、格納レコード１は、オンエア映像ＯＡ１の第３フレームからの４フレーム分が編集映像ＥＤ１の第３フレームからの４フレーム分に対応していることを示す。同様に、レコード２は、同じオンエア映像ＯＡ１の第７フレームからの１０フレーム分が編集映像ＥＤ２の第５フレームからの１０フレーム分に対応していることを示す。図３（Ｂ）および（Ｃ）のテーブルについても同様である。
【００３４】
対応情報の生成
まず、ある編集映像のどの箇所がどの素材映像のどの箇所から引用されたものであるかの対応関係を示す情報を編集映像−素材映像間対応情報（ＥＤ−ＲＡＷ対応情報）と呼ぶ。この情報は、編集段階で選択された素材映像をシステムに記録しておけばよい。また、あるオンエア映像のどの箇所がどの編集映像のどの箇所を使って放映したものであるのかの対応関係を示す情報をオンエア映像−編集映像間対応情報（ＯＡ−ＥＤ対応情報）と呼ぶ。この情報は、オンエア段階で実際に選択された編集映像をシステムに記録しておけばよい。
【００３５】
なお、ＥＤ−ＲＡＷ対応情報やＯＡ−ＥＤ対応情報の記録がない場合には、たとえば、特開２００２−５８０４９公報に開示されている動画像検索技術を用いて、特徴の類似する動画像区間同士を対応付けることにより自動的に生成することもできる。
【００３６】
図４は、本実施形態における対応情報を生成するシステム構成の一例を示すブロック図である。図５（Ａ）はオンエア映像−編集映像の対応関係と編集映像−素材映像の対応関係とを示す模式図、（Ｂ）はオンエア映像−編集映像−素材映像の対応関係を示す模式図である。
【００３７】
図４において、対応情報生成システムは、オンエア映像−素材映像間対応情報生成部２０１、オンエア映像対応情報生成部２０２、編集映像対応情報生成部２０３および素材映像対応情報生成部２０４を含んでいる。この対応情報生成システムは、図１に示す本システムに内蔵させることもできる。
【００３８】
オンエア映像−素材映像間対応情報生成部２０１は、ＯＡ−ＥＤ対応情報およびＥＤ−ＲＡＷ対応情報を用いてオンエア−素材映像間対応情報（ＯＡ−ＲＡＷ対応情報）を生成する。
【００３９】
具体的には、図５（Ａ）に示すように、はじめにＯＡ−ＥＤ対応情報を参照してオンエア映像内で使われた編集映像データ内の各映像区間（以降、編集映像区間と呼ぶ）を取り出す。次に、取り出された各編集映像区間について、ＥＤ−ＲＡＷ対応情報より、編集映像区間を含む編集映像の対応情報を調べることにより、編集映像区間に対応する素材映像データ内の各映像区間（以降、素材映像区間と呼ぶ）を特定できる。この特定された素材映像区間を上記オンエア映像区間に対応付けることによりＯＡ−ＲＡＷ対応情報が得られる。図５（Ｂ）に示すように、ある特定のオンエア映像に対応する素材映像区間が複数の素材映像にまたがる場合には、各素材映像の対応する区間毎にオンエア映像との対応関係を記述する（図３参照）。
【００４０】
なお、ＯＡ−ＲＡＷ対応情報が事前に生成されて記憶されている場合には、オンエア映像−素材映像間対応情報生成部２０１は不要である。
【００４１】
オンエア映像対応情報生成部２０２は、ＯＡ−ＥＤ対応情報およびＯＡ−ＲＡＷ対応情報より、オンエア映像毎に、オンエア映像のどの箇所がどの編集映像または素材映像のどの箇所から引用されたものなのかを記述するオンエア映像対応情報（ＯＡ−ＲＥＬ）を生成する（図３（Ａ））。
【００４２】
編集映像対応情報生成部２０３は、ＯＡ−ＥＤ対応情報およびＥＤ−ＲＡＷ対応情報より、編集映像毎に、編集映像のどの箇所がどのオンエア映像のどの箇所に使われたか、また編集映像のどの箇所がどの素材映像のどの箇所から引用されたものなのかを記述する編集映像対応情報（ＥＤ−ＲＥＬ）を生成する（図３（Ｂ））。
【００４３】
素材映像対応情報生成部２０４は、ＯＡ−ＲＡＷ対応情報およびＥＤ−ＲＡＷ対応情報より、素材映像毎に、素材映像のどの箇所がどの編集映像またはオンエア映像のどの箇所に使われたかを記述する素材映像対応情報（ＲＡＷ−ＲＥＬ）を生成する（図３（Ｃ））。
【００４４】
素材映像対応情報の表示例
図６は素材映像対応情報の閲覧表示例を示す図である。ある素材映像が指定された場合、その素材映像の時間を表示欄３０１に表示し、さらに、指定された素材映像の素材映像対応情報を参照して、そのカラム番号３および４にそれぞれ示された「対応する映像の識別子」および「種別」を表示ウィンドウ３０２ａに一覧表示する。
【００４５】
また、表示ウィンドウ３０２ｂには、カラム番号２に示す開始位置とカラム番号６に示すフレーム数とから特定される素材映像区間をマーク（図中の斜線部）を用いて表示する。すなわち、素材映像対応情報を参照しながら、表示ウィンドウ３０２ｂには、素材映像の時間を横軸として、どの部分がどの対応映像（オンエア映像あるいは編集映像）によって使用されているかがマークされる。
【００４６】
図６に示す例では、この素材映像が３つのオンエア映像と３つの編集映像に用いられており、各素材映像の使用されている区間がマークされている。これによって、たとえば識別子１１１１のオンエア映像に、素材映像の２０分から２５分までのシーンが使用されていることが一目でわかる。
【００４７】
本実施形態では、素材映像が使用されている区間の各マークをボタンの形で表示し、所望のマークをマウス等の入力部１０１によりクリックすることで当該対応する映像を映像閲覧ウインドウに表示することができる。
【００４８】
編集映像対応情報の表示例
図７は、編集映像対応情報の閲覧表示例を示す図である。ある編集映像が指定された場合、その編集映像の時間を表示欄４０１に表示し、さらに、カラム番号２に示す開始位置からカラム番号６に示すフレーム数分の編集映像区間を可視化するために、ウインドウ４０２の対応する映像の欄にマークをつける。マークの内容としては、表示欄４０３に素材映像の識別子および表示欄４０４に素材映像区間の代表フレームや時刻に対応したフレームなどである。
【００４９】
本実施形態では、対応する素材映像の各マークをボタンの形で表示し、所望のマークをマウス等の入力部１０１によりクリックすることで当該対応する映像を映像閲覧ウインドウに表示することができる。
【００５０】
オンエア映像対応情報の表示例
図８は、オンエア映像対応情報の閲覧表示例を示す図である。指定された映像がオンエア映像の場合は、指定されたオンエア映像に含まれる編集映像と、その制作に用いた素材映像とを表示可能である。指定されたオンエア映像の時間を表示欄５０１に表示し、さらに、カラム番号２に示す開始位置からカラム番号６に示すフレーム数分のオンエア映像区間を可視化するために、ウインドウ５０２の対応する映像の欄にマークをつける。マークの内容として、表示欄５０３に編集映像の識別子、表示欄５０４に素材映像の識別子、表示欄５０５に素材映像区間の代表フレームをそれぞれ提示できる。
【００５１】
本実施形態では、対応する編集映像および素材映像の各マークをボタンの形で表示し、所望のマークをマウス等の入力部１０１によりクリックすることで当該対応する映像を映像閲覧ウインドウに表示することができる。
【００５２】
また、指定された映像と同一種別の映像のリストあるいは指定された映像と対応関係を持つ他種別の映像のリストを併せて提示することもできる。
【００５３】
操作画面の表示例
図９は本実施形態による映像閲覧システムの操作画面の一例を示す模式図である。表示部１０２に表示された操作画面６０１において、映像閲覧ウィンドウ６０２には閲覧者が指定した識別子に対応した映像が表示され、サムネイル表示ウィンドウ６０３には与えられた開始位置の画像とその前後の画像が併せて一覧表示される。閲覧する映像の指定は、入力部１０１のキーボードにより映像の識別子を直接与えてもよい。また、映像の一覧を用意してマウス等を用いて利用者が映像を選択できるようにしておき、選択された映像の識別子を用いることも可能である。また、閲覧する映像の開始位置を併せて入力することも可能である。
【００５４】
さらに、関連情報リスト表示ウィンドウ６０４には、指定された映像と同一種別の映像のリストあるいは指定された映像と対応関係を持つ他種別の映像のリストが表示される。対応情報表示ウィンドウ６０５には、図６〜図８に例示したような対応情報が表示される。例えば、素材映像を表示させるのであれば、指定された素材映像データの映像区間に対応する編集映像データの映像区間および対応するオンエア映像データの映像区間を表示する。
【００５５】
このように、異なる映像種別間の対応情報が可視化され、さらに関連映像リストも表示されるために、映像閲覧効率をより高めることができる。また、上述したように、対応情報表示ウィンドウ６０５で可視化された対応情報にボタンを設け、入力部１０１のマウス等で指定することにより、その対応する映像区間に容易にアクセスすることができる。
【００５６】
動作
図１０は、本実施形態の全体的動作を示すフローチャートである。まず、対応情報記憶部１０８に、予め対応付けがされているオンエア映像対応情報（ＯＡ−ＲＥＬ）、編集映像対応情報（ＥＤ−ＲＥＬ）および素材映像対応情報（ＲＡＷ−ＲＥＬ）を記憶させておく（ステップＡ１）。
【００５７】
利用者は閲覧する映像を入力部１０１から指定する（ステップＡ２）。閲覧する映像の指定は、識別子を直接入力してもよいし、予め一覧表示された映像からユーザが選択するようにしてもよい。また、上述したように、対応情報表示ウィンドウ６０５に表示された対応情報から対応関係を持つ映像区間あるいはその開始位置を選択することで、映像の指定を行うこともできる。
【００５８】
指定された映像の識別子が特定されると、プログラム制御プロセッサ１０３は映像検索部１０５に当該希望映像の検索を指示する。映像検索部１０５は、指定された識別子をキーにして映像記憶部１０６を検索する（ステップＡ３）。
【００５９】
指定された識別子を有する映像が見つかると（ステップＡ３のＹＥＳ）、映像検索部１０５はその指定映像データをプログラム制御プロセッサ１０３へ返す。プログラム制御プロセッサ１０３は、指定映像データをデータ処理した後、表示部１０２上の映像閲覧ウィンドウ６０２に表示する（ステップＡ５）。
【００６０】
続いて、プログラム制御プロセッサ１０３は対応情報検索部１０７に指定された識別子を用いた検索を指示する。対応情報検索部１０７は、指定された識別子をキーにして対応情報記憶部１０８を検索する（ステップＡ６）。
【００６１】
指定された識別子を有する対応情報（図２および図３参照）が見つかると（ステップＡ７のＹＥＳ）、指定された映像種別を判定し（ステップＡ８）、映像種別ごとに所定の形式で対応情報を可視化する。
【００６２】
具体的には、素材映像が指定された場合には、検索された素材映像対応情報を参照して、その対応する編集映像およびオンエア映像の映像区間や識別子等の情報を図６に示すように表示する（ステップＡ８．１）。
【００６３】
編集映像が指定された場合には、検索された編集映像対応情報を参照して、その対応する素材映像の映像区間や識別子等の情報を図７に示すように表示する（ステップＡ８．２）。
【００６４】
オンエア映像が指定された場合には、検索されたオンエア映像対応情報を参照して、その対応する素材映像および編集映像の映像区間や識別子等の情報を図８に示すように表示する（ステップＡ８．３）。
【００６５】
なお、ステップＡ７において対応情報が検出されなかった場合には（ステップＡ７のＮＯ）、対応情報は表示しない。また、ステップＡ４において与えられた識別子を持つ映像が検出されなかった場合、閲覧不能と判断し、閲覧不能を示すメッセージ等を表示する（ステップＡ９）。
【００６６】
上述したように、第１実施形態では、素材映像が指定されると指定された素材映像を利用した編集映像およびオンエア映像の情報が表示され、編集映像が指定されると指定された編集映像の制作に用いた素材映像の情報が表示され、また、オンエア映像が指定されると指定されたオンエア映像に含まれる編集映像の情報とその制作に用いた素材映像の情報とが表示される。このようにオンエア映像、編集映像、素材映像同士の対応関係を可視化したことで、素材映像を含めて映像の利用状況を容易に把握することができる。
【００６７】
さらに、オンエア映像、編集映像、素材映像同士の対応関係を可視化したうえで、可視化されたマークをポインタで指定することによりマークに対応する映像の映像区間へのアクセスを可能にし、制作効率を上げることができる。
【００６８】
また、本実施形態では、図４に示す対応情報生成システムにより、オンエア映像と素材映像とを対応付けて、オンエア映像対応情報（ＯＡ−ＲＥＬ）、編集映像対応情報（ＥＤ−ＲＥＬ）および素材映像対応情報（ＲＡＷ−ＲＥＬ）を生成することができる。本実施形態によれば、編集映像およびオンエア映像が素材映像まで対応付けられるため、オンエア映像および編集映像に関連する素材映像へ容易にアクセスすることができ、映像の制作効率を上げることができる。
【００６９】
なお、第１実施形態では、素材映像、編集映像、オンエア映像の３種類の映像群の場合を説明したが、例えばオンエア映像を引用して制作したコンテンツ等をも閲覧対象とする場合など、利用関係にあるＮ（Ｎ＞３）種類の映像群の場合に拡張できることは言うまでもない。
【００７０】
（第２実施形態）
第１実施形態では、あらかじめオンエア映像対応情報（ＯＡ−ＲＥＬ）、編集映像対応情報（ＥＤ−ＲＥＬ）および素材映像対応情報（ＲＡＷ−ＲＥＬ）を求めて対応情報記憶部１０８に記憶している。しかし、図４で説明したように、各対応情報はＥＤ−ＲＡＷ対応情報およびＯＡ−ＥＤ対応情報から演算により求めることができる。第２実施形態による映像閲覧システムは、この対応情報演算機能を組み込むんだものである。
【００７１】
図１１は、本発明の第２実施形態による映像閲覧システムの構成を示すブロック図である。図１１に示すように、本実施形態のシステムでは、第１実施形態の対応情報記憶部１０８の代わりに対応情報記憶部７０１が設けられ、さらに対応情報生成部７０２が新たに設けられている。
【００７２】
対応情報記憶部７０１には、編集映像−素材映像間対応情報、オンエア映像−編集映像間対応情報、ＥＤ−ＲＡＷ対応情報、ＯＡ−ＥＤ対応情報およびＯＡ−ＲＡＷ対応情報のうち少なくとも２つの対応情報が記憶されていればよい。少なくとも２つの対応情報があれば、図４で説明したようにオンエア映像対応情報（ＯＡ−ＲＥＬ）、編集映像対応情報（ＥＤ−ＲＥＬ）および素材映像対応情報（ＲＡＷ−ＲＥＬ）を算出できることは明らかである。ここでは、ＥＤ−ＲＡＷ対応情報およびＯＡ−ＥＤ対応情報が格納されている。
【００７３】
対応情報生成部７０２は、プログラム制御プロセッサ１０３の制御のもとで、必要な対応情報を算出する。具体的には、対応情報生成部７０２は、対応情報記憶部７０１から２つの対応情報を読み出し、図４で説明したように各対応情報を生成する。対応情報検索部１０７は、指定された識別子をキーにして対応情報生成部７０２の算出した対応情報を検索し、上述したように指定識別子を有する対応情報をプログラム制御プロセッサ１０３へ返す。その他の動作は第１実施形態と同じであるから説明は省略する。
【００７４】
第２実施形態によれば、対応情報記憶部７０１には、ＥＤ−ＲＡＷ対応情報、ＯＡ−ＥＤ対応情報およびＯＡ−ＲＡＷ対応情報のうち２つの対応情報が格納されていればよいので、記憶容量を削減することができる。
【００７５】
（第３実施形態）
本発明の第３実施形態による映像閲覧システムは、素材映像およびオンエア映像のみを扱う。
【００７６】
図１２は、本発明の第３実施形態による映像閲覧システムのブロック図である。図１に示すブロックと同じ機能を持つブロックには同一参照番号を付して説明は省略する。
【００７７】
図１２において、映像記憶部８０１には、オンエア映像群（ＯＡ）および素材映像群（ＲＡＷ）が格納されている。素材映像群（ＲＡＷ）およびオンエア映像群（ＯＡ）については、第１実施形態と同じである。また、対応情報記憶部８０２には、オンエア映像対応情報（ＯＡ−ＲＥＬ）および素材映像対応情報（ＲＡＷ−ＲＥＬ）が格納されている。これら対応情報についても第１実施形態と同じである。
【００７８】
素材映像対応情報の表示例
図１３は、第３実施形態における素材映像対応情報の閲覧表示例を示す図である。ある素材映像が指定された場合、その素材映像の時間を表示欄９０１に表示し、さらに、指定された素材映像の素材映像対応情報を参照して、そのカラム番号３および４にそれぞれ示された「対応する映像の識別子」および「種別」を表示ウィンドウ９０２ａに一覧表示する。
【００７９】
また、表示ウィンドウ９０２ｂには、カラム番号２に示す開始位置とカラム番号６に示すフレーム数とから特定される素材映像区間をマーク（図中の斜線部）を用いて表示する。すなわち、素材映像対応情報を参照しながら、表示ウィンドウ９０２ｂには、素材映像の時間を横軸として、どの部分がどの対応映像（オンエア映像）によって使用されているかがマークされる。
【００８０】
図１２に示す例では、この素材映像が３つのオンエア映像に用いられており、各素材映像の使用されている区間がマークされている。これによって、たとえば識別子１１１１のオンエア映像に素材映像の２分から６分までのシーンが使用されていることが一目でわかる。
【００８１】
本実施形態では、素材映像が使用されている区間の各マークをボタンの形で表示し、所望のマークをマウス等の入力部１０１によりクリックすることで当該対応する映像を映像閲覧ウインドウに表示することができる。
【００８２】
オンエア映像対応情報の表示例
図１４は、第３実施形態におけるオンエア映像対応情報の閲覧表示例を示す図である。指定された映像がオンエア映像の場合は、指定されたオンエア映像の制作に用いた素材映像を表示可能である。指定されたオンエア映像の時間を表示欄１００１に表示し、さらに、カラム番号２に示す開始位置からカラム番号６に示すフレーム数分のオンエア映像区間を可視化するために、対応する映像の欄にマークをつける。マークの内容として、表示欄１００２に素材映像の識別子、表示欄１００３に素材映像区間の代表フレームをそれぞれ表示する。
【００８３】
本実施形態では、対応する素材映像の各マークをボタンの形で表示し、所望のマークをマウス等の入力部１０１によりクリックすることで当該対応する映像を映像閲覧ウインドウに表示することができる。
【００８４】
また、指定された映像と同一種別の映像のリストあるいは指定された映像と対応関係を持つ他種別の映像のリストを併せて提示することもできる。なお、本実施形態による映像閲覧システムの操作画面は、図９に示すものと同じであるから、説明は省略する。
【００８５】
上述したように、第３実施形態では、素材映像が指定されると指定された素材映像を利用したオンエア映像の情報が表示され、オンエア映像が指定されると指定されたオンエア映像に含まれる素材映像の情報とが表示される。このようにオンエア映像および素材映像の対応関係を可視化したことで、素材映像を含めて映像の利用状況を容易に把握することができる。
【００８６】
さらに、オンエア映像と素材映像の対応関係を可視化したうえで、可視化されたマークをポインタで指定することによりマークに対応する映像の映像区間へのアクセスを可能にし、制作効率を上げることができる。
【００８７】
また、本実施形態では、図４に示す対応情報生成システムにより、オンエア映像と素材映像とを対応付けて、オンエア映像対応情報（ＯＡ−ＲＥＬ）および素材映像対応情報（ＲＡＷ−ＲＥＬ）を生成することができる。本実施形態によれば、オンエア映像が素材映像まで対応付けられるため、オンエア映像に関連する素材映像へ容易にアクセスすることができ、映像の制作効率を上げることができる。
【００８８】
（第４実施形態）
図１５は本発明の第４実施形態による映像閲覧システムのブロック図である。本実施形態では、図１に示す映像検索部１０５および対応情報検索部１０７をデータ処理部１１０１内にソフトウエアにより実装している。すなわち、データ処理部１１０１は映像閲覧プログラム１１０２を実行することで、第１〜第３実施形態で説明したものと等価な映像閲覧機能を実現することができる。入力部１０１、表示部１０２、映像記憶部１０６および対応情報記憶部１０８は、映像閲覧プログラム１１０２を実行しているデータ処理部１１０１によって、第１、第２または第３実施形態と同様に制御され、本発明による映像閲覧システムを実現できる。
【００８９】
【発明の効果】
以上詳細に説明したように、本発明によれば、複数の映像群の利用状況を容易に把握することができる。たとえば、素材映像が指定されると、その素材映像を利用した編集映像およびオンエア映像の情報が表示され、編集映像が指定されると、その編集映像の制作に用いた素材映像の情報が表示され、また、オンエア映像が指定されると、そのオンエア映像に含まれる編集映像の情報とその制作に用いた素材映像の情報とが表示される。このようにオンエア映像、編集映像、素材映像という複数の映像群同士の対応関係を可視化することができ、素材映像を含めて映像の利用状況を容易に把握することが可能となる。
【００９０】
また、編集映像およびオンエア映像が素材映像まで対応付けられるため、オンエア映像および編集映像に関連する素材映像へ容易にアクセスすることができ、映像の制作効率を上げることができる。
【００９１】
さらに、オンエア映像、編集映像、素材映像などの複数の映像群同士の対応関係を可視化したうえで、可視化されたマークをポインタで指定することによりマークに対応する映像の映像区間へのアクセスを容易にしたことで、制作効率を上げることができる。
【図面の簡単な説明】
【図１】本発明の第１実施形態による映像閲覧システムの構成を示すブロック図である。
【図２】（Ａ）は  第１実施形態におけるオンエア映像対応情報のフォーマットの一例を示す図、（Ｂ）は編集映像対応情報のフォーマットの一例を示す図、（Ｃ）は素材映像対応情報のフォーマットの一例を示す図、（Ｄ）は汎用の対応情報フォーマットの一例を示す図である。
【図３】（Ａ）は  第１実施形態におけるオンエア映像対応情報の格納テーブルの一例を示す模式図、（Ｂ）は編集映像対応情報の格納テーブルの一例を示す模式図、（Ｃ）は素材映像対応情報の格納テーブルの一例を示す模式図である。
【図４】第１実施形態における対応情報を生成するシステム構成の一例を示すブロック図である。
【図５】（Ａ）は第１実施形態におけるオンエア映像−編集映像の対応関係と編集映像−素材映像の対応関係とを示す模式図、（Ｂ）はオンエア映像−編集映像−素材映像の対応関係を示す模式図である。
【図６】第１実施形態における素材映像対応情報の閲覧表示例を示す図である。
【図７】第１実施形態における編集映像対応情報の閲覧表示例を示す図である。
【図８】第１実施形態におけるオンエア映像対応情報の閲覧表示例を示す図である。
【図９】第１実施形態による映像閲覧システムの操作画面の一例を示す模式図である。
【図１０】第１実施形態の全体的動作を示すフローチャートである。
【図１１】本発明の第２実施形態による映像閲覧システムの構成を示すブロック図である。
【図１２】本発明の第３実施形態による映像閲覧システムのブロック図である。
【図１３】第３実施形態における素材映像対応情報の閲覧表示例を示す図である。
【図１４】第３実施形態におけるオンエア映像対応情報の閲覧表示例を示す図である。
【図１５】本発明の第４実施形態による映像閲覧システムのブロック図である。
【符号の説明】
１０１    入力部
１０２    表示部
１０３    プログラム制御プロセッサ
１０４    制御プログラム
１０５    映像検索部
１０６    映像記憶部
１０７    対応情報検索部
１０８    対応情報記憶部
ＯＡ      オンエア映像群
ＥＤ      編集映像群
ＲＡＷ    素材映像群
ＯＡ−ＲＥＬ  オンエア映像対応情報
ＥＤ−ＲＥＬ  編集映像対応情報
ＲＡＷ−ＲＥＬ  素材映像対応情報
【図１】
2004172788.tif 000003
【図２】
2004172788.tif 000004
【図３】
2004172788.tif 000005
【図４】
2004172788.tif 000006
【図５】
2004172788.tif 000007
【図６】
2004172788.tif 000008
【図７】
2004172788.tif 000009
【図８】
2004172788.tif 000010
【図９】
2004172788.tif 000011
【図１０】
2004172788.tif 000012
【図１１】
2004172788.tif 000013
【図１２】
2004172788.tif 000014
【図１３】
2004172788.tif 000015
【図１４】
2004172788.tif 000016
【図１５】
2004172788.tif 000017